【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】  無線通信システムにおけるレート選択の方法であって、
信号対雑音および干渉比のオープンループ予測を決定し、
クローズドループ修正を決定し、
前記オープンループ予測と前記クローズドループ修正に従ってデータレートを選択するステップを含み、
クローズドループ修正を決定する前記ステップが、
受信されたパケットの品質を決定し、
前記品質が悪いなら、前記クローズドループ修正を減少させるステップを含み、前記減少させるステップが以下の方程式に従って実行される方法：
Lnew＝max（Lold−δ,Lmin）
ここにLnewは外側ループ修正の更新された値であり、Loldは前記外側ループ修正の前の値であり、δはステップサイズであり、Lminは前記外側ループ修正が到達できる最小値である。
【請求項２】  前記クローズドループ修正を決定するステップが、
受信されたパケットの品質を決定し、
前記品質が良いならば、前記クローズドループ修正を増加させるステップを含む請求項1の方法。
【請求項３】  前記増加させるステップが、
作動のモードを決定し、
前記作動のモードにしたがって前記クローズドループ修正を増加させるステップを含む請求項２の方法。
【請求項４】  無線通信システムにおけるレート選択のための請求項３の方法であって、
信号対雑音および干渉比のオープンループ予測を決定し、
クローズドループ修正を決定し、
前記オープンループ予測と前記クローズドループ修正に従ってデータレートを選択するステップを含み、
クローズドループ修正を決定する前記ステップが、
受信されたパケットの品質を決定し、
前記品質が良いならば、前記クローズドループ修正を増加させることを含み、この増加させるステップが、
作動のモードを決定し、
前記作動のモードにしたがって前記クローズドループ修正を増加させることを含み、前記作動のモードを決定するステップが、
パケットが受信される時間の断片を決定し、
前記時間の断片に従って前記作動のモードを選択することを含む方法。
【請求項５】  パケットが検出されるとき、前記決定するステップが以下の方程式に従って実行される請求項４の方法：
AFNew＝（１−f）・AFOld＋f
ここに、AFNewは前記時間の断片の更新された値であり、AFOldは前記時間の断片の前の値であり、f∈(0,1)は前記時間の断片の変化の率を制御するパラメタである。
【請求項６】  パケットが検出されなかったとき、前記決定するステップが以下の方程式に従って実行される請求項４の方法：
AFNew＝（１−f）・AFOld
ここに、AFNewは前記時間の断片の更新された値であり、AFOldは前記時間の断片の前の値であり、f∈(0,1)は前記時間の断片の変化の率を制御するパラメタである。
【請求項７】  以下の条件のすべてが満たされるならば選択するステップが速い着手モードを選択するステップを含む請求項４の方法:
L ＜ LAMThreshold
AF ＜ AFIdle
2つのごく最近受信されたパケットが良い、
ここに、LAMThresholdはLに関して前記速い着手モードへの変遷を制御する閾値であり、AFIdleはAFに関して前記速い着手モードへの変遷を制御する閾値である。
【請求項８】  以下の条件のどれかが満たされるならば選択するステップが正規モードを選択するステップを含む請求項４の方法:
L ≧ LNMThreshold
AF ≧ AFBusy
またはごく最近受信されたパケットが悪い、
ここに、LNMThresholdはLに関する前記正規モードへの変遷を制御する閾値であり、AFBusyはAFに関する前記正規モードへの変遷を制御する閾値である。
【請求項９】  作動が速い着手モードにあるとき、前記増加させるステップが以下の方程式により実行される請求項３の方法:
Lnew＝min（Lold＋δ’,Lmax）
ここに、Lnewは前記外側ループ修正の更新された値であり、Loldは前記外側ループ修正の前の値であり、δ’はステップサイズであり、Lmaxは前記外側ループ修正が到達できる最大値である。
【請求項１０】  作動が正規モードにあるとき、前記増加させるステップが以下の方程式により実行される請求項３の方法:
Lnew＝min（Lold＋TARGET−PER・δ,Lmax）
ここに、Lnewは前記外側ループ修正の更新された値であり、Loldは前記外側ループ修正の前の値であり、TARGET−PERは到達されるべきパケット誤り率であり、δはステップサイズであり、Lmaxは前記外側ループ修正が到達できる最大値である。
【請求項１１】  無線通信システムにおけるレート選択の方法であって、
信号対雑音および干渉比のオープンループ予測を決定し、
クローズドループ修正を決定し、
前記オープンループ予測と前記クローズドループ修正に従ってデータレートを選択するステップを含み、前記選択するステップが、
信号対雑音および干渉比の前記オープンループ予測と前記クローズドループ修正とを合計し、
最も高いデータレートとして前記データレートを決定し、前記合計された信号対雑音比以下である信号対雑音比を決定することを含む方法。
【請求項１２】  無線通信システムにおいてレートを選択するための装置であって、
プロセッサと、
信号対雑音および干渉比のオープンループ予測を決定し、
クローズドループ修正を決定し、
前記オープンループ予測と前記クローズドループ修正に従ってデータレートを選択するため、
プロセッサに結合され、プロセッサで実行可能な命令の組を含む記憶媒体とを備え、
受信されたパケットの品質が悪いならば、前記プロセッサが前記クローズドループ修正を減少させるように構成され、
前記プロセッサは以下の方程式に従って前記クローズドループ修正を減少させるように構成された装置：
Lnew＝max（Lold−δ,Lmin）
ここにLnewは外側ループ修正の更新された値であり、Loldは前記外側ループ修正の前の値であり、δはステップサイズであり、Lminは前記外側ループ修正が到達できる最小値である。
【請求項１３】  受信されたパケットの品質が良いならば、前記プロセッサが前記クローズドループ修正を増加させるように構成された請求項１２の装置。
【請求項１４】  無線通信システムにおいてレートを選択するための装置であって、
プロセッサと、
信号対雑音および干渉比のオープンループ予測を決定し、
クローズドループ修正を決定し、
前記オープンループ予測と前記クローズドループ修正に従ってデータレートを選択するため、
プロセッサに結合され、プロセッサで実行可能な命令の組を含む記憶媒体とを備え、
受信されたパケットの品質が良いならば、前記プロセッサが前記クローズドループ修正を増加させるように構成され、
前記プロセッサは、
作動のモードを決定し、
前記作動のモードに従って前記クローズドループ修正を増加させるように構成された装置。
【請求項１５】  前記プロセッサは、
パケットが受信される時間の断片を決定し、
前記時間の断片に従って前記作動のモードを選択するように構成された請求項１４の装置。
【請求項１６】  パケットが検出されたとき、前記プロセッサは以下の方程式に従って前記時間の断片を決定するように構成された請求項１５の装置:
AFNew＝（１−f）・AFOld＋f
ここに、AFNewは前記時間の断片の更新された値であり、AFOldは前記時間の断片の前の値であり、f∈(0,1)は前記時間の断片の変化の率を制御するパラメタである。
【請求項１７】  パケットが検出されなかったとき、前記プロセッサは以下の方程式に従って前記時間の断片を決定するように構成された請求項１５の装置:
AFNew＝（１−f）・AFOld
ここに、AFNewは前記時間の断片の更新された値であり、AFOldは前記時間の断片の前の値であり、f∈(0,1)は前記時間の断片の変化の率を制御するパラメタである。
【請求項１８】  以下の条件のすべてが満たされるならばプロセッサは速い着手モードを選択するように構成された請求項１５の装置:
L ＜ LAMThreshold
AF ＜ AFIdle
2つのごく最近受信されたパケットが良い、
ここに、LAMThresholdはLに関して前記速い着手モードへの変遷を制御する閾値であり、AFIdleはAFに関して前記速い着手モードへの変遷を制御する閾値である。
【請求項１９】  以下の条件のどれかが満たされるならば前記プロセッサは正規モードを選択するように構成された請求項１５の装置:
L ≧ LNMThreshold
AF ≧ AFBusy
またはごく最近受信されたパケットが悪い、
ここに、LNMThresholdはLに関する前記正規モードへの変遷を制御する閾値であり、AFBusyはAFに関する前記正規モードへの変遷を制御する閾値である。
【請求項２０】  作動が速い着手モードにあるとき、前記プロセッサは以下の方程式により前記クローズドループ修正を増加させるように構成された請求項１４の装置:
Lnew＝min（Lold＋δ’,Lmax）
ここに、Lnewは前記外側ループ修正の更新された値であり、Loldは前記外側ループ修正の前の値であり、δ’はステップサイズであり、Lmaxは前記外側ループ修正が到達できる最大値である。
【請求項２１】  作動が正規モードにあるとき、前記プロセッサは以下の方程式に従って前記クローズドループ修正を増加させるように構成された請求項１４の装置:
Lnew＝min（Lold＋TARGET−PER・δ,Lmax）
ここに、Lnewは前記外側ループ修正の更新された値であり、Loldは前記外側ループ修正の前の値であり、TARGET−PERは到達されるべきパケット誤り率であり、δはステップサイズであり、Lmaxは前記外側ループ修正が到達できる最大値である。
【請求項２２】  無線通信システムにおいてレートを選択するための装置であって、
プロセッサと、
信号対雑音および干渉比のオープンループ予測を決定し、
クローズドループ修正を決定し、
前記オープンループ予測と前記クローズドループ修正に従ってデータレートを選択するため、
プロセッサに結合され、プロセッサで実行可能な命令の組を含む記憶媒体とを備え、
前記プロセッサは、
信号対雑音および干渉比の前記オープンループ予測と前記クローズドループ修正とを合計し、
最も高いデータレートとして前記データレートを決定し、前記変更された信号対雑音比以下である信号対雑音比を決定するように構成された装置。